(57)【特許請求の範囲】
【請求項１】
被写体を撮影する電子カメラにおいて、
被写体像を光電変換して画像信号を生成する撮像手段と、
前記撮像手段への光入射時間を機械的な先幕と後幕とで制御することにより、前記撮像手段の露光時間を制御するメカニカルシャッタ手段と、
前記先幕を用いずに、前記撮像手段の動作タイミングを電気的に制御することにより、前記撮像手段の露光タイミングを制御する電子シャッタ手段と、
被写体に向けて発光可能な発光手段を制御する発光制御手段と、
前記発光手段がフラット発光することを検出した場合に、前記メカニカルシャッタ手段により前記撮像手段の露光時間制御を行なうように制御する制御手段と、
を備えることを特徴とする電子カメラ。
【請求項２】
前記メカニカルシャッタ手段は、スリット露光が可能であることを特徴とする請求項１に記載の電子カメラ。
【請求項３】
前記発光手段を装着可能であることを特徴とする請求項１または２に記載の電子カメラ。
【請求項４】
前記制御手段は、前記電子カメラに前記発光手段が装着されていることを検知した場合に、前記発光手段がフラット発光するかどうかを検出することを特徴とする請求項１乃至３のいずれか１項に記載の電子カメラ。
【請求項５】
被写体像を光電変換して画像信号を生成する撮像手段と、前記撮像手段への光入射時間を機械的な先幕と後幕とで制御することにより、前記撮像手段の露光時間を制御するメカニカルシャッタ手段と、前記先幕を用いずに、前記撮像手段の動作タイミングを電気的に制御することにより、前記撮像手段の露光タイミングを制御する電子シャッタ手段とを備える電子カメラを制御する方法であって、
被写体に向けて発光可能な発光手段を制御する発光制御工程と、
前記発光手段がフラット発光することが検出された場合に、前記メカニカルシャッタ手段により前記撮像手段の露光時間制御を行なうように制御する制御工程と、
を有することを特徴とする電子カメラの制御方法。
【発明の詳細な説明】
【技術分野】
【０００１】
本発明は、電子シャッタとメカニカルシャッタを併用する電子カメラの露出制御技術に関するものである。
【背景技術】
【０００２】
従来、撮影レンズを通過した光を電気信号に変換するＣＣＤ（ｃｈａｒｇｅ  ｃｏｕｐｌｅｄ  ｄｅｖｉｃｅ）等の固体撮像素子を用いて画像を取り込む電子カメラは、画像を形成する光を取り込む撮像動作時間を制御することにより露出時間を制御する電子シャッタ機能を有するとともに、撮像素子が必要な光量を取り込んだ後に余分な光によるスミアなどを軽減するためにメカニカルシャッタを有し、通常の銀塩フィルムを露光するようにフォーカルプレーンシャッタによるスリット露光を行うものが種々提案されている。
【０００３】
ここで、従来の電子シャッタ制御モードとメカニカルシャッタ制御モードとを備えた電子カメラの撮影シーケンスについて、図９及び図１０を用いて説明する。
【０００４】
図９はメカニカルシャッタ制御モード時の撮影シーケンスを、図１０は電子シャッタ制御モード時の撮影シーケンスをそれぞれ示す。
【０００５】
まず、図９を用いて、メカニカルシャッタ制御モード時の撮影シーケンスを説明する。図９において、ａは先羽根走行開始信号、ｂは後羽根走行開始信号、ｃは先・後羽根駆動状態、ｄは固体撮像素子（ＣＣＤ）の作動状態をそれぞれ示す。
【０００６】
図９において、不図示のＣＰＵがメカニカルシャッタ制御モードにより露出制御を行うことを決定すると、ＣＰＵから送られた露出制御値に基づいて先羽根群の駆動が開始されると共に、ＣＣＤなどの固体撮像素子を作動させて、電荷蓄積動作を開始させる。ＣＰＵから送られた露出制御値に基づいて決定されたＴv値（目標撮像時間）により、後羽根走行開始信号が出力され、後羽根群の駆動が開始し、先羽根群及び後羽根群による固体撮像素子への露光動作を制御する。
【０００７】
固体撮像素子は、後羽根群の駆動終了後、電荷蓄積動作を継続すると共に、露光時に必要以上に光が入射することにより発生するスミアの影響を除去するため、光電変換素子に蓄積された信号電荷を垂直転送ＣＣＤへ移す前に、垂直転送ＣＣＤに漏れ込んだスミア成分を読み出して掃き捨てる。その後、固体撮像素子は電荷蓄積動作を終了させ、光電変換素子に蓄積された信号電荷を垂直転送ＣＣＤへ転送すると共に、信号電荷の読み出し動作である通常読み出しを行い、１駒の撮影シーケンスを終了させる。
【０００８】
次に、図１０を用いて、電子シャッタ制御モード時の撮影シーケンスを説明する。図１０において、ａは先羽根走行開始信号、ｂは後羽根走行開始信号、ｃは先・後羽根駆動状態、ｄは固体撮像素子（ＣＣＤ）の作動状態をそれぞれ示す。
【０００９】
図１０において、不図示のＣＰＵが電子シャッタ制御モードにより露出制御を行うことを決定すると、ＣＰＵから送られた露出制御値に基づいて先羽根走行開始信号が出力され、先羽根群の駆動を開始させる。そして、先羽根群が完全に開放状態になった後、ＣＣＤなどの固体撮像素子を作動させて電荷蓄積動作を開始させ、ＣＰＵから送られた露出制御値に基づいて決定されたＴv値により、電荷蓄積時間の制御を行う。そして、電荷蓄積の終了のタイミングに合わせて、後羽根走行開始信号を出力し、後羽根群の駆動を開始させて、固体撮像素子を遮光状態にする。固体撮像素子は、電荷蓄積時間終了と共に、光電変換素子に蓄積された信号電荷を垂直転送ＣＣＤへ転送し、後羽根群の駆動終了のタイミングにて信号電荷の読み出し動作である通常読み出しを行い、１駒の撮影シーケンスを終了させる。
【００１０】
また、上記メカニカルシャッタ制御モードと電子シャッタ制御モードとの両方を備え、適宜切り換えて使うものが特開平０１−１１７５７７号公報（特許文献１）や特開平１１−２１２１３６号公報（特許文献２）にて提案されている。
【００１１】
特開平０１−１１７５７７号公報においては、シャッタ速度が所定値より高速側のときは電子シャッタにて露出制御を行い、シャッタ速度が所定値より低速側のときはメカニカルシャッタにより露出制御するように構成されている。
【００１２】
また、特開平１１−２１２１３６号公報においては、通常の自然光による撮影時の露出制御をメカニカルシャッタにより行い、ストロボ撮影時の高速秒時を電子シャッタ機能により露出制御するように構成されている。
【００１３】
また、加速度検知装置をレンズに装着し、その信号を積分することによりカメラのブレを検出して、手ブレを補正するブレ補正方式も提案されている。
【００１４】
さらに、このようなブレ補正において、シャッタの走行によって発生するカメラブレを補正するカメラシステムもすでに公知である。これは、シャッタの先羽根群の走行が完了する時に発生するカメラブレ量を予め記憶しておき、シャッタの先羽根群の走行が完了するタイミングに合わせて、予め記憶されているカメラブレ量に基づいて、ブレ補正手段を駆動してカメラブレを抑えている。
【００１５】
また従来、フォーカルプレーンシャッタが用いられる一眼レフカメラ等においては、シャッタ先羽根群が走行してからシャッタ後羽根群が走行するまでの間にストロボ発光の発光強度をほぼ一定に（フラットに）制御するフラット発光モードが選択できるカメラが種々提案されている。閃光発光を用いると、シャッタが全開になる秒時でしかストロボ撮影を行うことができなかったが、フラット発光を用いることにより、スリット露光を行う高速秒時でもストロボ撮影が可能となった（特開平０９−０４３６８８号公報：特許文献３）。
【００１６】
また、閃光発光においても、全てのシャッタ秒時にて同調が可能なカメラとして特開平１１−２１２１３６号公報においては、目標露出時間がメカニカルシャッタ制御の全開秒時以上長い時はメカニカルシャッタ制御により露出時間制御を行い、目標露出時間がメカニカルシャッタ制御の全開秒時より短い時はメカニカルシャッタ制御を全開秒時以上で動作させるとともに電子シャッタ制御にて露出制御を行うようにしている。従って、閃光発光時においても、全ての露出時間（シャッタ秒時）において、ストロボ同調が可能である。
【００１７】
また、ストロボの発光量を決定する方式として、撮影前にプリ発光を行うことで発光量を決定し、撮影時の発光量を決定するストロボ発光の制御方式（以下、ＥＴＴＬ制御方式と省略）も提案されている。
【００１８】
また、撮影モードダイヤルなどに設定可能な複数の撮影モードを持たせ、撮影者が撮影したいシーンに応じてそれに対応した絵表示の位置に撮影モードダイヤルを設定すれば、あらかじめプログラミングしていた制御方法でカメラを動作させることができるようになっている。いわゆる、イメージモードを備えたカメラがすでに製品化されている。例えば、特開２００１−３３０８８２号公報（特許文献４）に開示されているカメラの場合、人物撮影に適したポートレイトモード、風景撮影に適した風景モード、接写撮影に適したクローズアップモード、動体写真に適したスポーツモードの４種類が揃えられている。
【００１９】
また、従来連続撮影が可能な電子カメラの中には、連続撮影の間隔（以下コマ速と記述する場合もある）を変更できるモードを備えた電子カメラもすでに商品化されている。
【先行技術文献】
【特許文献】
【００２０】
【特許文献１】特開平０１−１１７５７７号公報
【特許文献２】特開平１１−２１２１３６号公報
【特許文献３】特開平０９−０４３６８８号公報
【特許文献４】特開２００１−３３０８８２号公報
【発明の概要】
【発明が解決しようとする課題】
【００２１】
しかしながら、上記従来例には下記のような問題があった。
【００２２】
上記従来例に示したブレ補正手段を備えたレンズを、上記従来例の特開平０１−１１７５７７号公報や特開平１１−２１２１３６号公報に示される電子シャッタ制御・メカニカルシャッタ制御の両方を備えた電子カメラに取り付けた場合、以下に示すような問題が発生する。
【００２３】
図１０で説明したように、電子シャッタ制御の場合、先羽根群が完全に走行を完了してからＣＣＤなどの固体撮像素子を作動させて電荷蓄積動作を行うことで露光が開始となる。つまり、シャッタの先羽根群が完全に走行を完了した後に露光を開始するので、実際に露光を開始する時にはシャッタの走行によるカメラブレは収まっていることになる。従って、レンズ側でカメラブレを補正しない場合は、電子シャッタ制御にて撮像時間を制御した方がブレに対して有利となる。
【００２４】
しかし、防振機能を備えたレンズの場合は、メカニカルシャッタ制御にて撮像時間の制御を行った場合でも、カメラブレの無い画像を記録することができる。また、すでに説明したように、メカニカルシャッタ制御では、メカニカルシャッタが閉じた後、フォトダイオードから垂直ＣＣＤへの電荷読み出し直前に垂直ＣＣＤを高速転送することによって、ノイズ成分となる不要電荷を履き捨てることが行われる。よって、電子シャッタ機能と比べて画質劣化が少ない画像を撮影することが可能となるので、メカニカルシャッタ制御にて撮像時間を制御したほうが有利である。
【００２５】
しかしながら、上記従来例で述べた特開平０１−１１７５７７号公報や特開平１１−２１２１３６号公報に示されるカメラの場合、シャッタ秒時によって電子シャッタ制御とメカニカルシャッタ制御の切り換えを行っているので、防振機能を備えたレンズが装着された場合に、必ずしも画質劣化の少ないメカニカルシャッタ制御を選択できないという問題が発生する。
【００２６】
また、上記従来例の特開平０１−１１７５７７号公報や特開平１１−２１２１３６号公報に開示されるカメラに、マクロレンズを装着してマクロ撮影を行う場合、カメラブレに対しては、通常撮影以上に注意しなければならない。そのため、上記で説明したように電子シャッタ制御にて露出制御を行うほうがカメラブレの発生が少ないので有利である。
【００２７】
しかしながら、上記従来例の特開平０１−１１７５７７号公報や特開平１１−２１２１３６号公報に開示されるカメラの場合、シャッタ秒時よって、電子シャッタ制御、メカニカルシャッタ制御を切り換えているだけなので、マクロレンズが装着された時に、必ずしも電子シャッタ制御にて撮像時間の制御が行なわれるとは限らないという問題が発生する。
【００２８】
また、上記従来例の電子カメラの場合、メカニカルシャッタのシャッタ羽根群とＣＣＤなどの固体撮像素子との間には、通常光学フィルタが配置されている。そのため、メカニカルシャッタのシャッタ羽根群は固体撮像素子の撮像面に対して所定距離だけ離れてしまうためシャッタ効率の問題が発生する。
【００２９】
撮像面上の実際のシャッタ速度Ｔ0〔秒〕は、シャッタ幕速をＶ〔ｍｍ／ｓｅｃ〕、シャッタスリット幅をＷ〔ｍｍ〕、シャッタ幕から固体撮像素子の撮像面までの距離をｄs〔ｍｍ〕、使用レンズのそのときの絞りのＦ値をＡとすると、
Ｔ0＝（Ｗ＋ｄs／Ａ）／Ｖ        …（１）
となる。
【００３０】
例えば、設定上の実際のシャッタ速度が１／１０００秒の場合、Ｖ＝３７５０ｍｍ／ｓｅｃ、Ｗ＝３．６ｍｍ、ｄs＝８ｍｍであるとすると、Ａ＝１．４でＴ0≒１／４０３秒となり、Ａ＝１６でＴ0≒１／９１５秒となってしまう。
【００３１】
しかし、ユーザーは設定上のシャッタ速度で写していると思い、撮像面上では絞り値Ａ＝１．４〜１６に対応して１／４０３秒〜１／９１５秒となっていることを知らずに、撮像面上で１／１０００秒で切っていれば写し止められているはずの動いている被写体が、写し止められないという問題が生じる。特に、開放側では実際のシャッタ秒時に対して、かなり遅いシャッタ秒時で撮影することになり、上記の写し止められないという問題が、顕著に発生してしまう。
【００３２】
このような場合、電子シャッタ制御にて露出制御を行えば、この問題が解決できるが、上記従来例の特開平０１−１１７５７７号公報や特開平１１−２１２１３６号公報に開示されるカメラの場合、シャッタ秒時よって電子シャッタ制御、メカニカルシャッタ制御を切り換えているので、絞り開放時にシャッタ秒時が遅くなるという、上記問題を解決するものではない。
【００３３】
また、上記従来例のスラット発光手段を備えたストロボ装置を、上記従来例の特開平０１−１１７５７７号公報や特開平１１−２１２１３６号公報に示される電子シャッタ・メカニカルシャッタ制御の両方を備えたカメラに取り付けた場合、以下に示すような問題が発生する。
【００３４】
メカニカルシャッタ機能によって撮像時間を制御した場合、メカニカルシャッタが閉じた後、フォトダイオードから垂直ＣＣＤへの電荷読み出し直前に垂直ＣＣＤを高速転送することによって、ノイズ成分となる不要電荷を履き捨てることが行われる。よって、電子シャッタ機能と比べて画質劣化が少ない画像を撮影することが可能となる。
【００３５】
この特徴はストロボ装置を装着した撮影の場合でも同じである。従って、フラット発光可能なストロボ装置が装着された場合、高速秒時（スリット露光を行うようなシャッタ秒時）においても同調が可能なので、メカニカルシャッタ制御にて撮像時間を制御したほうが、画質の劣化が少なくて済む。
【００３６】
しかしながら、上記従来例で述べた特開平１１−２１２１３６号公報に開示されるカメラの場合、フラット発光可能なストロボ装置が装着され、メカニカルシャッタ制御による撮像時間の制御が可能だとしても、メカニカルシャッタ制御の全開秒時以上のときは、電子シャッタ制御による撮像時間の制御に切り換えてしまうため、ノイズ成分による画質劣化のある画像が撮影されてしまうという問題が発生する。
【００３７】
また、上記従来例の電子シャッタ制御の場合、電荷排出期間において撮像素子に光が入射しているため、撮影画面内に高反射物を含む状態でストロボ撮影を行うと、高反射物に対応するＣＣＤの受光素子部分の周辺で過剰な電荷が生じ、スミアが発生するという問題点があった。
【００３８】
また、上記従来例で述べた特開平０１−１１７５７７号公報や特開平１１−２１２１３６号公報に開示されるカメラの場合、シャッタ秒時によって電子シャッタ制御とメカニカルシャッタ制御に切り換えを行っている。そのため、ユーザーが画質を優先したいがために、メカニカルシャッタ制御に切り換えたいと思っても、それができないという問題が発生する。
【００３９】
さらに、上記従来例で説明したイメージモードを備えたカメラにおいて、スポーツモードが選択された場合、動きのある被写体を撮影するという意図が撮影者にある。この動体撮影時にメカニカルシャッタ制御にて撮像時間の制御を行なうと、フォーカルプレーンシャッタであるため以下のような問題が発生する。
【００４０】
フォーカルプレーンシャッタの場合、先羽根群・後羽根群がある時間差（シャッタ秒時によってこの時間差は変化する）を持って駆動することで、撮像時間の制御を行っている。そのため、例えば、先羽根群・後羽根群がアパチャの上から下に駆動する場合、アパチャの上側と下側とでは時間差が生じてしまう。従って、被写体が動体の場合、この時間差分だけ動体は動いてしまうので、アパチャの上側と下側では、ブレが生じてしまうという問題が発生する。
【００４１】
また、上記従来例の連続撮影の間隔（コマ速）を変更できる電子カメラの場合、以下のような問題があった。
【００４２】
メカニカルシャッタ制御にて撮像時間の制御を行うと、不用電荷を履き捨てるための、余分な時間が必要となり、コマ速の高速化に関しては不利となる。従ってコマ速を高速化する場合は、電子シャッタ制御にて撮像時間を制御するほうが有利となる。
【００４３】
また、コマ速が遅い場合は、不用電荷を履き捨てるための時間を確保することが可能となるので、メカニカルシャッタ制御にて撮像時間の制御が可能となる。この場合は、メカニカルシャッタ制御にて撮像時間の制御を行うほうが、ノイズに対して有利となる。
【００４４】
しかしながら、上記従来例の特開平０１−１１７５７７号公報や特開平１１−２１２１３６号公報に開示される電子カメラの場合、シャッタ秒時にて電子シャッタ制御・メカニカルシャッタ制御を切り換えているので、例えば、コマ速が遅くメカニカルシャッタ制御にて撮像時間の制御が可能な場合においても、必ずしもメカニカルシャッタ制御にて、撮像時間の制御が行われるとは限らないという問題があった。
【００４５】
また、上記従来例の電子シャッタ制御の場合、電荷排出期間において撮像素子に光が入射しているため、局部的に輝度レベルの高い、例えばスポットライトのような点光源を画面中に含む状態で撮像すると、点光源に対応するＣＣＤの受光素子部分の周辺で過剰な電荷が生じ、スミアが発生するという問題点があった。
【００４６】
スミアとは、垂直ＣＣＤで電荷を転送している時に、光が直接垂直ＣＣＤに漏れ込み電荷が発生する、あるいはフォトダイオードで発生した電荷がゲートを通らずに垂直ＣＣＤに漏れ込む事により発生するノイズで、例えば撮影画面内に強いスポット光が存在したシーンを撮影すると、縦に白いラインが入ってしまう現象である。
【００４７】
また、上記従来例で説明したように、予め記憶されているカメラブレ量に基づいて、ブレ補正手段を駆動してカメラブレを抑えているブレ補正装置を備えた撮影レンズを上記従来例の、特開平０１−１１７５７７号公報や特開平１１−２１２１３６号公報に開示されるカメラに装着した場合、下記のような問題が発生する。
【００４８】
図１０を用いて説明したように、電子シャッタ制御にて撮像時間の制御を行う場合、先羽根群が完全に走行を完了してから、ＣＣＤなどの固体撮像素子を作動させて電荷蓄積動作を行うことで露光が開始となる。つまり、シャッタの先羽根群が完全に走行を完了した後に露光を開始するので、露光開始時にはシャッタの走行によるカメラブレは収まっていることになる。
【００４９】
従って、シャッタの走行完にタイミングを合わせて前記ブレ補正手段を駆動させてしまうと、実際にはブレが収まっているので、ブレ補正手段によって、かえって画面がブレてしまうという問題が発生する。
【００５０】
本発明は、上述した従来の技術の有するこのような問題点に鑑みてなされたものであり、その第１の目的は、電子カメラに装着される種々のアクセサリーやアクセサリーの有する機能に応じて、適切なシャッタ手段（電子シャッタ制御やメカニカルシャッタ制御）を選択できるようにすることである。
【００５１】
また、本発明の第２の目的は、電子カメラが有する種々の撮影モードに対応して、適切なシャッタ手段（電子シャッタ制御やメカニカルシャッタ制御）を選択できるようにすることである。
【００５２】
また、本発明の第３の目的は、撮影画面内にスポット光などが存在した場合でも、スミアなどの画質劣化現象の低減を可能とすることである。
【課題を解決するための手段】
【００５３】
上述した課題を解決し、目的を達成するために、本発明に係わる電子カメラは、被写体を撮影する電子カメラにおいて、被写体像を光電変換して画像信号を生成する撮像手段と、前記撮像手段への光入射時間を機械的な先幕と後幕とで制御することにより、前記撮像手段の露光時間を制御するメカニカルシャッタ手段と、前記先幕を用いずに、前記撮像手段の動作タイミングを電気的に制御することにより、前記撮像手段の露光タイミングを制御する電子シャッタ手段と、被写体に向けて発光可能な発光手段を制御する発光制御手段と、前記発光手段がフラット発光することを検出した場合に、前記メカニカルシャッタ手段により前記撮像手段の露光時間制御を行なうように制御する制御手段と、を備えることを特徴とする。
【発明の効果】
【００５４】
本発明によれば、電子カメラに装着される種々のアクセサリーやアクセサリーの有する機能に応じて、適切なシャッタ手段（電子シャッタ制御やメカニカルシャッタ制御）を選択することができる。
【００５５】
また、電子カメラが有する種々の撮影モードに対応して、適切なシャッタ手段（電子シャッタ制御やメカニカルシャッタ制御）を選択することができる。
【００５６】
また、撮影画面内にスポット光などが存在した場合でも、スミアなどの画質劣化現象の低減を可能とすることができる。
【図面の簡単な説明】
【００５７】
【図１】本発明の第１乃至第４の実施形態の電子カメラの構成を示すブロック図である。
【図２Ａ】第１の実施形態の電子スチルカメラにおけるレンズの状態により電子シャッタとメカシャッタのどちらを選択するかの動作を示すフローチャートである。
【図２Ｂ】第１の実施形態の電子スチルカメラにおけるストロボの状態により電子シャッタとメカシャッタのどちらを選択するかの動作を示すフローチャートである。
【図３】本発明の第１乃至第４の実施形態の電子カメラの撮影シーケンスを示す動作フローチャートである。
【図４】本発明の第１の実施形態の電子カメラの動作フローチャートである。
【図５】本発明の第１の実施形態の電子カメラの動作フローチャートである。
【図６】本発明の第２実施形態の電子カメラの動作フローチャートである。
【図７】本発明の第３実施形態の電子カメラの動作フローチャートである。
【図８】本発明の第４実施形態の電子カメラの動作フローチャートである。
【図９】従来の電子カメラのメカニカルシャッタ制御モード時のシーケンスを示す図である。
【図１０】従来の電子カメラの電子シャッタ制御モード時のシーケンスを示す図である。
【発明を実施するための形態】
【００５８】
以下、本発明の好適な実施形態について説明する。
【００５９】
（第１の実施形態）
図１は本発明の第１の実施形態に係る電子カメラの構成を示すブロック図である。
【００６０】
図１において、電子カメラはカメラ本体１００を備え、カメラ本体１００には、レンズユニット３００を交換可能に装着するためのレンズマウント１０６と、ストロボ装置４００を交換可能に装着するためのアクセサリーシュー４９と、記録媒体２００，２１０をそれぞれ接続するための２つのコネクタ９２，９６とが設けられている。
【００６１】
カメラ本体１００は、メインミラー１３０、サブミラー１３１、メカニカルシャッタ１２、撮像素子１４、ＡＧＣ回路３１、Ａ／Ｄ変換器１６、タイミング発生回路１８、画像処理回路２０、メモリ制御回路２２、画像表示メモリ２４、Ｄ／Ａ変換器２６、画像表示装置２８、メモリ３０、圧縮・伸長回路３２、ペンタダハプリズム１３２、光学ファインダ１０４、システム制御回路５０、シャッタ制御回路４０、測距検出センサ１３５、測距制御回路４２、測光センサ１３６、測光制御回路４６、ストロボ制御回路４８、電源制御回路８０、電源８６、メモリ５２、表示回路５４、不揮発性メモリ５６、モードダイヤルスイッチ６０、シャッタスイッチ６２，６４、再生スイッチ６６、連写Ｈｉ／Ｌｏ設定スイッチ６８、操作部７０、電源スイッチ７２、各記録媒体２００，２１０とのインターフェース（Ｉ／Ｆ）９０，９４および記録媒体着脱検知センサ９８を備える。
【００６２】
５０は電子カメラ本体に内蔵されたマイクロコンピュータからなるシステム制御回路（制御手段に相当する）である。
【００６３】
１２は撮像素子１４への露光量を制御するためのメカニカルシャッタ装置で、ファインダ観察時には被写体光束を遮り、撮像時にはレリーズ信号に応じて被写体光束の光路から待避して露光を開始させる不図示の先羽根群と、ファインダ観察時には被写体光束の光路から待避しているとともに、撮像時には先羽根群の走行開始後所定のタイミングで被写体光束を遮光する不図示の後羽根群とを有するフォーカルプレーンシャッタである。メカニカルシャッタ装置１２はシステム制御回路５０の指令を受けたシャッタ制御回路４０によって制御される。
【００６４】
なお、メカニカルシャッタ装置１２とシャッタ制御回路４０とからメカニカルシャッタ手段を構成している。
【００６５】
１４は撮影レンズ３１０により結像された被写体像を撮像して電気信号に変換する撮像素子である。撮像素子は、公知の２次元型撮像デバイスであるＣＣＤが用いられている。本実施形態においては、光電変換素子（フォトセンサ）が２次元的に配列され、各センサで蓄積された信号電荷が垂直転送路、及び、水平転送路を介して出力されるインターライン型ＣＣＤ撮像素子（撮像手段に相当する）が採用されている。
【００６６】
また、撮像素子１４は、システム制御回路５０の命令により、各フォトセンサに蓄積される電荷の蓄積時間（シャッタ秒時）を制御する、いわゆる電子シャッタ機能（電子シャッタ手段に相当する）を有している。
【００６７】
撮影レンズ３１０に入射した光線は、一眼レフ方式によって、絞り３１２、レンズマウント３０６及びカメラマウント１０６、メインミラー１３０、メカニカルシャッタ装置１２を介して導かれ、光学像として撮像素子１４上に結像することが出来る。
【００６８】
撮像素子１４のアナログ信号出力は、ＡＧＣ回路３１においてゲインが調整された後に、Ａ／Ｄ変換器１６に入力される。Ａ／Ｄ変換器１６は、入力されたアナログ信号をデジタル信号に変換し、このデジタル信号を画像データとして出力する。タイミング発生回路１８は撮像素子１４、Ａ／Ｄ変換器１６、Ｄ／Ａ変換器２６にクロック信号や制御信号を供給する回路であり、メモリ制御回路２２およびシステム制御回路５０により制御される。
【００６９】
画像処理回路２０は、 Ａ／Ｄ変換器１６からのデータまたはメモリ制御回路２２からのデータに対して所定の画素補間処理や色変換処理を行う。
【００７０】
また、画像処理回路２０においては、撮像した画像データを用いて所定の演算処理を行い、得られた演算結果に基づいた方式のＡＷＢ（オートホワイトバランス）処理も行っている。
【００７１】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６からの画像データは、画像処理回路２０、メモリ制御回路２２を介して、または直接メモリ制御回路２２を介して、画像表示メモリ２４またはメモリ３０に書き込まれる。
【００７２】
２４は画像表示メモリ、２６はＤ／Ａ変換器、２８はＴＦＴ  ＬＣＤ等から成る画像表示装置であり、画像表示メモリ２４に書き込まれた表示用の画像データはＤ／Ａ変換器２６を介して画像表示部２８により表示される。
【００７３】
画像表示部２８を用いて、撮像した画像データを逐次表示すれば、電子ファインダ機能を実現することが可能である。
【００７４】
また、画像表示部２８は、システム制御回路５０の指示により任意に表示をＯＮ／ＯＦＦすることが可能であり、表示をＯＦＦにした場合にはカメラ本体（以下、画像処理装置と呼ぶこともある）１００の電力消費を大幅に低減することが出来る。
【００７５】
３０は撮影した静止画像や動画像を格納するためのメモリであり、所定枚数の静止画像や所定時間の動画像を格納するのに十分な記憶量を備えている。
【００７６】
これにより、複数枚の静止画像を連続して撮影する連射撮影やパノラマ撮影の場合にも、高速かつ大量の画像書き込みをメモリ３０に対して行うことが可能となる。
【００７７】
また、メモリ３０はシステム制御回路５０の作業領域としても使用することが可能である。
【００７８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００７９】
４０は測光回路４６からの測光情報に基づいて、絞り３１２を制御する絞り制御手段３４０と連携しながら、メカニカルシャッタ１２を制御するシャッタ制御回路である。
【００８０】
４２はＡＦ（オートフォーカス）処理を行うための測距回路である。レンズ３１０に入射した光線は、一眼レフ方式によって、絞り３１２、レンズマウント３０６及びカメラマウント１０６、ミラー１３０そして測距用サブミラー１３１を介して、固体撮像素子１４面とほぼ等価な位置におかれた焦点検出用センサ１３５の検出面上で再結像される。そして、その光像は、電気的なイメージ信号に変換されて測距回路４２に供給される。
【００８１】
測距回路４２はシステム制御回路５０の命令に従い、焦点検出用センサ１３５の蓄積制御と読み出し制御を行って、画素情報をシステム制御回路５０へ出力する。
【００８２】
システム制御回路５０は測距回路４２からの被写体像のイメージ信号に基づいて、周知の位相差検出法による焦点検出演算を行い、撮影レンズ３１０による結像面と固体撮像素子１４の予定結像面との差、すなわちデフォーカス量およびデフォーカス方向を求める。
【００８３】
４６はＡＥ（自動露出）処理を行うための測光回路である。測光回路４６はレンズ３１０に入射した光線を、一眼レフ方式によって、絞り３１２、レンズマウント３０６及びカメラマウント１０６、ミラー１３０及びペンタダハプリズム１３２そして測光センサ１３６を介して得られた出力を、画面内の各エリアの輝度信号として、システム制御回路５０に出力する。システム制御回路５０は輝度信号をＡ／Ｄ変換し、撮影の露出を算出する。
【００８４】
なお、測光センサ１３６と測光回路４６とから測光手段を構成している。また、測光回路４６とシステム制御回路５０とから測光値算出手段と輝度比較手段を構成している。
【００８５】
４８はストロボ制御回路であり、システム制御回路５０の命令により、アクセサリーシュー４９，４０１を経由して、ストロボ装置４００のメインコンデンサの充電、キセノン管での閃光発光と、露光動作に先立つプリ発光と、フラット発光時の発光開始と発光の停止などの制御を行う。また、ストロボ装置のスイッチの状態などを判別し、システム制御回路５０への送信を行うこともできる。
【００８６】
４９はアクセサリーシューで、ストロボ装置４００のアクセサリーシュー４０１との機械的な固定手段と、ストロボ装置の状態などの通信を行うための電気接点も合わせて備えている。
【００８７】
なお、システム制御回路５０とストロボ制御回路４８とアクセサリーシュー４９とから検知手段とストロボ判別手段を構成している。また、システム制御回路５０とストロボ制御回路４８とアクセサリーシュー４９とから、フラット発光制御手段とプリ発光手段を構成している。
【００８８】
５０はカメラ本体１００全体を制御するシステム制御回路、５２はシステム制御回路５０の動作用の定数、変数、プログラム等を記憶するメモリである。
【００８９】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００９０】
また、表示部５４は、その一部の機能が光学ファインダ１０４内に設置されている。
【００９１】
表示部５４の表示内容のうち、ＬＣＤ等に表示するものとして、例えば、シングルショット／連写撮影表示、セルフタイマー表示、圧縮率表示、記録画素数表示、記録枚数表示、残撮影可能枚数表示、シャッタスピード表示、絞り値表示、露出補正表示、ストロボ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信I/F動作表示、日付・時刻表示、外部コンピュータとの接続状態を示す表示、オートブラケティングの状態表示、等がある。
【００９２】
また、表示部５４の表示内容のうち、光学ファインダ１０４内に表示するものとしては、例えば、合焦表示、撮影準備完了表示、手振れ警告表示、ストロボ充電表示、ストロボ充電完了表示、シャッタスピード表示、絞り値表示、露出補正表示、記録媒体書き込み動作表示、等がある。
【００９３】
さらに、表示部５４の表示内容のうち、ＬＥＤ等に表示するものとしては、例えば、合焦表示、撮影準備完了表示、手振れ警告表示、ストロボ充電表示、ストロボ充電完了表示、記録媒体書き込み動作表示、マクロ撮影設定通知表示、二次電池充電状態表示、等がある。
【００９４】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００９５】
５６は電気的に消去・記録可能な不揮発性メモリであり、例えばＥＥＰＲＯＭ等が用いられる
各スイッチ６０，６２，６４，６６，６８，７０は、システム制御回路５０の各種の動作指示を入力するための操作手段であり、スイッチやダイアル、タッチパネル、視線検知によるポインティング、音声認識装置などの単数または複数の組み合わせで構成される。
【００９６】
ここで、これらの操作手段の具体的な説明を行う。
【００９７】
６０はモードダイヤルスイッチで、撮影者が任意にＡｖ値・Ｔｖ値を選択できるクリエイティブゾーンと、設定されたモードに対応したＡｖ値・Ｔｖ値をカメラが自動的に選択するイメージゾーンが存在する。
【００９８】
クリエイティブゾーンにはプログラム撮影モード、シャッタ速度優先撮影モード、絞り優先撮影モード、マニュアル撮影モードが有り、イメージゾーンには自動撮影モード、焦点深度優先（デプス）撮影モード、ポートレート撮影モード、風景撮影モード、接写撮影モード、スポーツ撮影モード、夜景撮影モード、パノラマ撮影モードが存在し、モードダイヤルスイッチ６０にて各機能撮影モードを切り替え設定することが出来る。
【００９９】
６２はシャッタスイッチＳＷ１で、不図示のシャッタボタンの操作途中でＯＮとなり、ＡＦ（オートフォーカス）処理、ＡＥ（自動露出）処理、ＡＷＢ（オートホワイトバランス）処理、ＥＴＴＬ（ストロボ調光）処理等の動作開始を指示する。
【０１００】
６４はシャッタスイッチＳＷ２で、不図示のシャッタボタンの操作完了でＯＮとなり、固体撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理のレリーズ動作開始を指示する。
【０１０１】
６６は再生スイッチで、撮影モード状態において撮影した画像をメモリ３０或いは記録媒体２００或いは２１０から読み出して画像表示部２８によって表示する再生動作の開始を指示する。
【０１０２】
６８は連写Ｈｉ／Ｌｏ設定スイッチで、シャッタスイッチＳＷ２を押している間、連続して撮影を行う撮影間隔（コマ速）の切り替えを行うためのスイッチであり、本実施形態の電子スチルカメラにおいては、Ｈｉ駆動連写またはＬｏ駆動連写の２種類が存在する。
【０１０３】
なお、Ｈｉ駆動連写が第１の連続撮影モードに相当し、Ｌｏ駆動連写が第２の連続撮影モードに相当する。また、連写Ｈｉ／Ｌｏ設定スイッチ６８が連続撮影モード選択手段に相当する。
【０１０４】
７０は各種ボタンやタッチパネル等からなる操作部で、回転ダイアルスイッチ、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、オートブラケティング撮影を行うＡＥＢ設定ボタン、日付/時間設定ボタン、パノラマモード等の撮影及び再生を実行する際に各種機能の選択及び切り替えを設定する選択/切り替えボタン、パノラマモード等の撮影及び再生を実行する際に各種機能の決定及び実行を設定する決定/実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、シャッタスイッチＳＷ１を押したならばオートフォーカス動作を開始し一旦合焦したならばその合焦状態を保ち続けるワンショットＡＦモードとシャッタスイッチＳＷ１を押している間は連続してオートフォーカス動作を続けるサーボＡＦモードとを設定することが出来るＡＦモード設定スイッチ、ノイズを低減させるノイズリダクションモード設定スイッチ、電子シャッタ制御モードまたはメカニカルシャッタ制御モードのどちらかを選択できるシャッタモード選択スイッチ、ＳＷ２  ６４を押しつづけている間は連続撮影を行う連続撮影モードと、ＳＷ２  ６４がオンされたときに１回の撮影を行う単写撮影モードとの切り替えを行う連写・単写切り替えボタン（撮影モード選択手段に相当する）等がある。
【０１０５】
また、上記プラスボタン及びマイナスボタンの各機能は、回転ダイアルスイッチで行うことで、より軽快に数値や機能を選択することが可能である。
【０１０６】
なお、モードダイヤルスイッチ６０または操作部７０が撮影モード選択手段に相当する。
【０１０７】
７２は電源スイッチで、画像処理装置１００の電源オン、電源オフの各モードを切り替え設定することが出来る。また、画像処理装置１００に接続されたレンズユニット３００、外部ストロボ、記録媒体２００、２１０等の各種付属装置の電源オン、電源オフの設定も合わせて切り替え設定することが出来る。
【０１０８】
８０は電源制御手段で、電池検出回路、ＤＣ／ＤＣコンバータ、通電するブロックを切り換えるスイッチ回路等により構成されており、電池の装着の有無、電池の種類、電池残量の検出を行い、検出結果及びシステム制御回路５０の指示に基づいてＤＣ／ＤＣコンバータを制御し、必要な電圧を必要な期間、記録媒体を含む各部へ供給する。
【０１０９】
８２・８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【０１１０】
９０及び９４はメモリカードやハードディスク等の記録媒体とのインターフェース、９２及び９６はメモリカードやハードディスク等の記録媒体と接続を行うコネクタ、９８はコネクタ９２或いは９６に記録媒体２００或いは２１０が装着されているか否かを検知する記録媒体着脱検知手段である。
【０１１１】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【０１１２】
インターフェース及びコネクタとしては、ＰＣＭＣＩＡカードやコンパクトフラッシュ（登録商標）カード（ＣＦカード）等の規格に準拠したものを用いて構成しても構わない。
【０１１３】
さらに、インターフェース９０及び９４、そしてコネクタ９２及び９６をＰＣＭＣＩＡカードやコンパクトフラッシュ（登録商標）カード（ＣＦカード）等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【０１１４】
１０４は光学ファインダであり、レンズ３１０に入射した光線を、一眼レフ方式によって、絞り３１２、レンズマウント３０６及びカメラマウント１０６、ミラー１３０及びペンタダハプリズム１３２を介して導き、光学像として結像表示することが出来る。
【０１１５】
これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【０１１６】
１２０は、レンズマウント１０６内において、カメラ本体１００をレンズユニット３００と接続するためのインターフェース、１２２はカメラ本体１００をレンズユニット３００と電気的に接続するコネクタである。コネクタ１２２は、カメラ本体１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【０１１７】
１３０はメインミラーで撮影レンズ３１０により結像される被写体像を、ペンタプリズム１３２へ導くと共に、その一部を透過させ、後述するサブミラー１３１を通して測距検出用センサ１３５へ導くためのミラーである。
【０１１８】
ミラー１３０はファインダにて被写体像を観察可能な位置と撮影時に被写体光束の光路から待避する退避位置とを可動自在に構成されている。
【０１１９】
１３１はミラー１３０の一部を透過した被写体光を反射させて、測距検出用センサ１３５へ被写体像を導くためのサブミラーである。サブミラー１３１は、メインミラー１３０と連動し、メインミラー１３０がファインダにて被写体像を観察可能な位置にあるときには、測距検出用センサ１３５へ被写体光を導く位置に、また、撮影時には被写体光束の光路から待避する退避位置に可動自在に構成されている。
【０１２０】
１３２はペンタダハプリズムでメインミラー１３０によって導かれた被写体像を正立正像に変換反射する光学部材である。
【０１２１】
撮影レンズ３１０を通過した被写体光束は、絞り３１２を通過して、メインミラー１３０で反射されペンタプリズム１３２に導かれ光学ファインダ１０４で被写体像を観察する。
【０１２２】
２００はメモリカードやハードディスク等の記録媒体である。
【０１２３】
記録媒体２００は、半導体メモリや磁気ディスク等から構成される記録部２０２、画像処理装置１００とのインターフェース２０４、画像処理装置１００と接続を行うコネクタ２０６を備えている。
【０１２４】
２１０はメモリカードやハードディスク等の記録媒体である。
【０１２５】
記録媒体２１０は、半導体メモリや磁気ディスク等から構成される記録部２１２、画像処理装置１００とのインターフェース２１４、画像処理装置１００と接続を行うコネクタ２１６を備えている。
【０１２６】
３００は交換レンズタイプのレンズユニットである。
【０１２７】
３０６は、レンズユニット３００を画像処理装置１００と機械的に結合するレンズマウントである。レンズマウント３０６内には、レンズユニット３００を画像処理装置１００と電気的に接続する各種機能が含まれている。
【０１２８】
３１０は撮影レンズ、３１２は絞りである。
【０１２９】
３２０は、レンズマウント３０６内において、レンズユニット３００をカメラ本体１００と接続するためのインターフェース、３２２はレンズユニット３００を画像処理装置１００と電気的に接続するコネクタである。
【０１３０】
コネクタ３２２は、カメラ本体１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【０１３１】
なお、システム制御回路５０とインターフェース１２０とコネクタ１２２とコネクタ３２２とインターフェース３２０とレンズ制御回路３５０とから、検知手段とレンズ状態判別手段とを構成している。
【０１３２】
３４０は測光回路４６からの測光情報に基づいて、メカニカルシャッタ１２を制御するシャッタ制御回路４０と連携しながら、絞り３１２を制御する絞り制御回路である。
【０１３３】
３４２は撮影レンズ３１０のフォーカシングを制御する測距制御回路、３４４は周知の技術である撮影レンズ３１０の一部を動作させることで、カメラブレを防ぐ所謂防振機能を制御する防振制御回路である。
【０１３４】
３４５は上記防振機能の有効・非有効を切り換える防振スイッチ（防振設定手段に相当する）である。
【０１３５】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【０１３６】
４００はストロボ装置である。
【０１３７】
４０１はカメラ本体１００のアクセサリーシューと接続するためのコネクタであり、コネクタ４０１を通して、ストロボの状態やストロボの機能などの情報を、カメラ本体１００へ通信することが可能である。
【０１３８】
４０２はフラット発光制御モードの有効・非有効を切り換えるフラット発光スイッチである。
【０１３９】
次に、図１に示す本発明の第１の実施形態に係わる電子スチルカメラの動作について図２Ａ〜図５に示すフローチャートを参照して説明する。
【０１４０】
図２Ａは、第１の実施形態の電子スチルカメラにおけるレンズの状態により電子シャッタとメカシャッタのどちらを選択するかの動作を示すフローチャートである。
【０１４１】
ステップＳ１０１にて電源スイッチ７２がオンされると、電子スチルカメラは撮影のためのスタンバイ状態になる。
【０１４２】
ステップＳ１０２で不図示のレリーズボタンの半押し操作によってスイッチＳＷ１  ６４がオン（ＯＮ）したか否かを判別する。ＯＮされたと判別された場合はステップＳ１０３にて測光回路４６はシステム制御回路５０の命令により測光を開始して、測光センサ１３６の各エリアでの輝度値をシステム制御回路５０へ出力した後、ステップＳ１０６へ移行する。
【０１４３】
また、ステップＳ１０２にてＳＷ１  ６４がＯＮしたと判別されると、すでに説明したステップＳ１０３の測光と同時にステップＳ１０４にて、測距回路４６の出力であるフォーカス情報に基づいてシステム制御回路５０はレンズ駆動量を演算決定し、ステップＳ１０５にて、測距制御回路３４２を用いて撮影レンズ３１０の一部のレンズを駆動してピント調整をおこなう。
【０１４４】
次に、モードダイヤルスイッチ６０によって選ばれた撮影露出モードにより、それぞれの撮影露出モードに対応した絞り値（Ａｖ値）や撮像時間（Ｔｖ値）の決定がなされる（ステップＳ１０６〜Ｓ１１５）。
【０１４５】
即ち、ステップＳ１０６で、撮影露出モードがＡｖ（絞り値）優先モードであるか否かを判断する。そして、Ａｖ優先モードであると判断された場合は、Ａｖ値はユーザーが選んだ任意の値となり、ステップＳ１１１で前記ステップＳ１０３において測定した測光値に合わせてＴｖ値が決定された後、ステップＳ１１６へ進む。
【０１４６】
また、前記ステップＳ１０６においてＡｖ優先モードでないと判断された場合は、ステップＳ１０７へ進んで撮影露出モードがＴｖ（シャッタースピード）優先モードであるか否かを判断する。そして、Ｔｖ優先モードであると判断された場合は、Ｔｖ値はユーザーが選んだ任意の値となり、ステップＳ１１２で前記ステップＳ１０３において測定した測光値に合わせてＡｖ値が決定された後、ステップＳ１１６へ進む。
【０１４７】
また、前記ステップＳ１０７においてＴｖ優先モードでないと判断された場合は、ステップＳ１０８へ進んで撮影露出モードがプログラムモードであるか否かを判断する。そして、プログラムモードであると判断された場合は、ステップＳ１１３で前記ステップＳ１０３において測定した測光値に合わせて、予め設定されている不図示のプログラム線図からそれぞれのＡｖ値及びＴｖ値が決定された後、ステップＳ１１６へ進む。
【０１４８】
尚、プログラム線図としては、種々のパターンが考えられるが、１つのパターンを有する場合でも複数のパターンを有する場合でも基本的には同じフローを通過する。
【０１４９】
また、前記ステップＳ１０８において撮影露出モードがプログラムモードでないと判断された場合は、ステップＳ１０９へ進んで撮影露出モードがマニュアルモードであるか否かを判断する。そして、マニュアルモードであると判断された場合は、ステップＳ１１４で、Ｔｖ値及びＡｖ値は共にユーザーが前記ステップＳ１０３において、測定した測光値に基づいて選択した任意の値に設定された後、ステップＳ１１６へ進む。
【０１５０】
また、前記ステップＳ１０９にて撮影露出モードがマニュアルモードでないと判断された場合は、ステップＳ１１０へ移行してどのイメージモードが選択されているかを判断して、ステップＳ１１５へ移行する。
【０１５１】
ステップＳ１１５では、前記ステップＳ１０３において測定した測光値に合わせて、各モードにおける予め設定されている不図示のプログラム線図からそれぞれのＡｖ値及びＴｖ値が決定された後、ステップＳ１１６へ進む。
【０１５２】
以上のように、いずれのモードが選択された場合でも、ステップＳ１１６までで制御すべきＴｖ値（目標撮像時間）及びＡｖ値（目標絞り値）が決定される。
【０１５３】
次に、ステップＳ１１６では、不図示のレリーズスイッチの全押し操作によりオンするＳＷ２  ６４がオンしたか否かを判別する。そして、ＯＮしたと判別されたときにはステップＳ１１７へ移行する。ＯＮされていないと判断された時は、ステップＳ１０２へ移行し、すでに説明した動作を繰り返す。
【０１５４】
ステップＳ１１７では、インターフェース１２０・３２０の通信結果から撮影レンズ３００が装着されているか否かを判別し、装着されていないと判別された時はステップＳ１１９へ移行し、装着されていると判別された時は、サブーチンＡへ移行する。尚、サブルーチンＡについては後述する。
【０１５５】
ステップＳ１１９では、電子シャッタにて撮像時間制御を行わせるために、電子シャッタフラグを設定してステップＳ１２０へ移行する。尚、ステップＳ１１９を実行するということは、撮影レンズが装着されていない状態であり、すなわち撮影を行うという状態では無いので、シャッタ制御はどちらでも良く、ここでは電子シャッタ制御とした。
【０１５６】
尚、ステップＳ１２０の撮影動作については、図３を用いて後述する。
【０１５７】
ステップＳ１２１で撮像素子１４は電荷蓄積動作を終了し、光電変換素子に蓄積された信号電荷を垂直転送ＣＣＤへ転送するとともに、信号電荷の読み出し動作である通常読み出しを行い、ステップＳ１２２へ移行する。
【０１５８】
ステップＳ１２２で画像処理を行い、その後ステップＳ１２３ではメモリ３０へ画像処理を行ったデータを一時的に保存をしておき、外部記憶部２０２・２１２のどちらかが記録可能状態になり次第、外部記憶部２０２・２１２への記録が開始される。
【０１５９】
ステップＳ１２４では、ＳＷ２  ６２がＯＮされているか否かを判別し、ＯＮされているときはステップＳ１１７へ移行して、すでに説明した動作を繰り返し、ＯＦＦと判別された時は、撮影を終了する。
【０１６０】
図２Ｂは、第１の実施形態の電子スチルカメラにおけるストロボの状態により電子シャッタとメカシャッタのどちらを選択するかの動作を示すフローチャートである。
【０１６１】
ステップＳ１１６までは、図２Ａの動作と同じである。
【０１６２】
ステップＳ１１６では、不図示のレリーズスイッチの全押し操作によりオンするＳＷ２  ６４がオンしたか否かを判別する。そして、ＯＮしたと判別されたときにはステップＳ１１８へ移行する。ＯＮされていないと判断された時は、ステップＳ１０２へ移行し、すでに説明した動作を繰り返す。
【０１６３】
ステップＳ１１８では、アクセサリーシュー４９の通信により、ストロボ装置４００が装着されているか否かを判別する。装着されていないと判別された時は、ステップＳ１１９へ移行し、装着されていると判別された時は、サブルーチンＢへ移行する。尚、サブルーチンＢについては後述する。
【０１６４】
ステップＳ１１９では、電子シャッタにて撮像時間制御を行わせるために、電子シャッタフラグを設定してステップＳ１２０へ移行する。尚、ステップＳ１１９を実行するということは、ストロボが装着されていない状態であり、ストロボ撮影をする状態ではないので、シャッタ制御はどちらでも良く、ここでは電子シャッタ制御とした。
【０１６５】
尚、ステップＳ１２０の撮影動作については、図３を用いて後述する。
【０１６６】
ステップＳ１２１で撮像素子１４は電荷蓄積動作を終了し、光電変換素子に蓄積された信号電荷を垂直転送ＣＣＤへ転送するとともに、信号電荷の読み出し動作である通常読み出しを行い、ステップＳ１２２へ移行する。
【０１６７】
ステップＳ１２２で画像処理を行い、その後ステップＳ１２３ではメモリ３０へ画像処理を行ったデータを一時的に保存をしておき、外部記憶部２０２・２１２のどちらかが記録可能状態になり次第、外部記憶部２０２・２１２への記録が開始される。
【０１６８】
ステップＳ１２４では、ＳＷ２  ６２がＯＮされているか否かを判別し、ＯＮされているときはステップＳ１１８へ移行して、すでに説明した動作を繰り返し、ＯＦＦと判別された時は、撮影を終了する。
【０１６９】
次に図３を用いて、撮影シーケンスについて説明する。
【０１７０】
ステップＳ２０１でシャッタフラグの判別を行う。電子シャッタフラグが設定されている時は、ステップＳ２０２へ移行し、メカニカルシャッタフラグが設定されている時は、ステップＳ２０８へ移行する。
【０１７１】
尚、図２Ａ、図２ＢのステップＳ１１９や、後述するサブルーチンＡ・Ｂにて電子シャッタフラグ・メカニカルシャッタフラグのいずれか一方が必ず設定される。
【０１７２】
ステップＳ２０２では、電子シャッタ制御モードに設定を行う。ステップＳ２０２において電子シャッタ制御モードに設定されるとステップＳ２０３へ進み、システム制御回路５０から送られた露出制御値に基づいてシャッタ制御回路４０はまず、メカニカルシャッタ１２へ先羽根走行開始信号を出力して、不図示の先羽根群の駆動を開始（先幕開放）させた後、次のステップＳ２０４へ移行する。
【０１７３】
ステップＳ２０４では、ストロボフラグが設定されているか否かを検出し、設定されているならば、ステップＳ２０５にてストロボ制御回路４８はシステム制御回路５０の命令を受け、先羽根群が完全に開放状態になった後、ストロボ装置４００へ発光の命令を出力する。
【０１７４】
ステップＳ２０４にてストロボフラグが設定されていない時は、ステップＳ２０６へ移行する。
【０１７５】
尚、ストロボフラグついては後述するサブルーチンＢ（図５）にて、設定されるか否かが決定する。
【０１７６】
ステップ２０６では先羽根群が完全に開放状態になった後、タイミング発生回路１８、撮像素子１４を作動させて電荷蓄積動作を開始させ、システム制御回路５０から送られた露出制御値に基づいて決定されたＴｖ値により電荷蓄積時間の制御を行った後、次のステップＳ２０７へ進む。
【０１７７】
ステップＳ２０７では電荷蓄積終了のタイミングに合わせて、シャッタ制御回路４０は、メカニカルシャッタ装置１２へ後羽根走行開始信号を出力して、不図示の後羽根群の駆動を開始させて撮像素子１４を遮光状態（後幕遮蔽）とした後、図２のステップＳ１２１へ移行する。
【０１７８】
一方、ステップＳ２０１において、メカニカルシャッタフラグが設定されていると判断された場合は、ステップＳ２０８へ移行し、メカニカルシャッタ装置１２により露出制御を行うべくメカニカルシャッタ制御モードに設定する。
【０１７９】
ステップＳ２０８においてメカニカルシャッタ制御モードに設定されると、システム制御回路５０からの命令に基づいて、タイミング発生回路１８はステップＳ２０９で固体撮像素子１５を作動させて電荷蓄積動作を開始させる
ステップＳ２１０では、システム制御回路５０から送られた露出制御値に基づいてシャッタ制御回路４０は、メカニカルシャッタ装置１４へ先羽根走行開始信号を出力して、先羽根群の駆動を開始（先幕開放）させる。
【０１８０】
ステップＳ２１１では、ストロボフラグが設定されているか否かを検出し、設定されているならば、ステップＳ２１２にてストロボ制御回路４８はシステム制御回路５０の命令により，アクセサリーシュー４９・４０１を経由して、先羽根群が完全に開放状態になった後、ストロボ装置４００へ発光の命令を出力する。
【０１８１】
ステップＳ２１１にてストロボフラグが設定されていない時は、ステップＳ２１３へ移行する。
【０１８２】
ステップＳ２１３では撮像素子１４への露光が行われ、ステップＳ２１４へ移行する。
【０１８３】
ステップＳ２１４ではシステム制御回路５０から送られた露出制御値に基づいて決定されたＴｖ値により、シャッタ制御回路４０は、メカニカルシャッタ装置１２へ後羽根走行開始信号を出力して、不図示の後羽根群の駆動を開始させて、先羽根群及び後羽根群による撮像素子１４への露光動作を終了する（後幕遮蔽）。
【０１８４】
ステップＳ２１５では、フラット発光中か否かを判別する。フラット発光中と判別された時には、ステップＳ２１６へ移行しフラット発光を停止した後、ステップＳ２１７へ移行する。一方、ステップＳ２１５でフラット発光が行われていないと判別された時には、ステップＳ２１７へ移行する。
【０１８５】
尚、フラット発光が行われるか否かについては、後述するサブルーチンＢ（図５）にて決定される。
【０１８６】
ステップＳ２１７において、撮像素子１４はメカニカルシャッタ装置１２の後羽根走行終了後、電荷蓄積動作を継続すると共に、露光時に必要以上の光が入射することにより発生するスミアの影響を除去するため、撮像素子１４の光電変換素子に蓄積された信号電荷を垂直転送ＣＣＤへ移す前に、垂直転送ＣＣＤに漏れ込んだスミア成分を読み出して（垂直転送）掃き捨てた後、図２のステップＳ１２１へ移行する。
【０１８７】
次に図４を用いて、サブルーチンＡの動作について説明する。
【０１８８】
サブルーチンＡへ移行すると、ステップ３０１にてシステム制御回路５０は、インターフェース１２０、コネクタ１２２・３２２、インターフェース３２０を経由して撮影レンズ３００内のレンズ制御回路３５０と通信を行い、マクロレンズが装着されたか否かを検出する。マクロレンズが装着されたと判別された時は、ステップＳ３０２へ移行して、電子シャッタフラグを設定後、図２のステップＳ１２０へ移行する。
【０１８９】
一方、ステップＳ３０１にてマクロレンズ以外のレンズが装着されたと判別された時には、ステップＳ３０３へ移行する。
【０１９０】
ステップＳ３０３にてシステム制御回路５０は、インターフェース１２０、コネクタ１２２・３２２、インターフェース３２０を経由して撮影レンズ３００内のレンズ制御回路３５０と通信を行い、防振スイッチ３４５がＯＮしているか否かを判別する。
【０１９１】
防振スイッチ３４５がＯＮしていると判別された時には、ステップＳ３０４へ移行して、メカシャッタフラグを設定し、図２のステップ１２０へ移行する。
【０１９２】
防振スイッチ３４５がＯＮしていない、つまり、ＯＦＦと判別された時には、ステップ３０５へ移行する。
【０１９３】
ステップＳ３０５では、図２のステップＳ１０６〜ステップ１１３にて決定したＡｖ値が、所定値以下か否か（所定の絞り値より、開放側にあるか否か）を判別し、所定値以下（所定の絞り値より開放側にある）と判別された時には、ステップＳ３０６へ移行して電子シャッタフラグを設定する。そして、図２のステップＳ１２０へ移行する。
【０１９４】
また、所定値より上の場合（所定の絞り値より絞り込んだ側にある場合）は、ステップＳ３０４へ移行して、メカシャッタフラグを設定して、図２のステップＳ１２０へ移行する。
【０１９５】
以上説明したように、マクロレンズが装着されているときは、電子シャッタにて撮像時間の制御を行うので、カメラブレの発生が少ない撮影を行うことができる。
【０１９６】
また、防振機能が有効なときは、メカシャッタにて撮像時間の制御を行うので、電子シャッタ制御にて撮像時間を制御した場合に問題となる、完全にカメラブレが収まった後に防振機能が働くことによるブレ画像の撮影を防止することができる。
【０１９７】
また、絞り値が開放側のときは電子シャッタにて撮像時間の制御を行うので、メカニカルシャッタ制御のシャッタ効率によって発生する、開放時の実シャッタ秒時が遅くなるという問題を回避することができる。
【０１９８】
次に図５を用いて、サブルーチンＢの動作について説明する。
【０１９９】
先ず、ステップＳ４０１においてシステム制御回路５０は、ストロボ制御回路４８を経由して、ストロボ装置４００内のフラット発光スイッチ４０２がＯＮしているか否かを検出する。ＯＮしていると検出された時には、ステップＳ４０２へ移行してメカシャッタフラグを設定後ステップＳ４０３へ移行する。
【０２００】
ステップＳ４０３では、システム制御回路５０の命令によりストロボ制御回路４８はプリ発光を開始する。
【０２０１】
そして、測光回路４６は、プリ発光時の測光センサ１３６からの各エリアでの輝度値をシステム制御回路５０へ出力する。システム制御回路５０は各測光値から所定の演算を行い、フラット発光時の発光量を決定する。
【０２０２】
ステップＳ４０４において、ステップＳ４０３にて決定した発光量に基づいて、フラット発光を開始し、図２のステップＳ１２０へ移行する。
【０２０３】
一方、フラット発光スイッチ４０２がＯＮしていないと判別されたときには、ステップＳ４０５にて、システム制御回路５０の命令によりストロボ制御回路４８は、プリ発光を開始する。そして、測光回路４６は、プリ発光時での測光センサ１３６の各エリアでの輝度値をシステム制御回路５０へ出力して、ステップＳ４０６へ移行する。
【０２０４】
ステップＳ４０６では、測光回路４６より出力された測光値の結果が所定値以上であるエリアが存在するか否かを判別する。そして、所定値以上のエリアが存在する場合は、ステップＳ４０７へ移行してメカニカルシャッタフラグを設定し、所定値以上のエリアが存在しない場合は、ステップ４０９へ移行して、電子シャッタフラグを設定する。
【０２０５】
ステップＳ４０８では、測光回路４６より出力された測光値に基づいて、システム制御回路５０は所定の演算を行い、ストロボ装置４００の発光量を決定して、図２のステップＳ１２０へ移行する。
【０２０６】
以上説明したように、フラット発光制御が可能なときは、メカニカルシャッタ制御にて撮像時間の制御を行うので、電子シャッタ制御にて撮像時間の制御を行った場合に発生する、スミアなどのノイズ成分を除去することができる。
【０２０７】
また、プリ発光にて撮影画面内にスポット光状の反射物が存在する場合はメカニカルシャッタ制御にて撮像時間の制御を行うので、電子シャッタ制御にて撮像時間の制御を行う場合に発生する、スミアなどのノイズ成分を除去することができる。
【０２０８】
（第２の実施形態）
次に、本発明の第２の実施形態の電子スチルカメラについて説明する。尚、第２の実施形態の電子スチルカメラのブロック構成は第１の実施形態と同一（図１と同一）の構成であるので、ここでの説明は省略する。
【０２０９】
図６を用いて第２の実施形態の電子スチルカメラの動作について説明する。
【０２１０】
図６は、第２の実施形態の電子スチルカメラの動作フローチャートである。
【０２１１】
ステップＳ５０１にて電源スイッチ７２がオンされると、電子スチルカメラは撮影のためのスタンバイ状態になる。
【０２１２】
なお、図６において、ステップＳ５０１〜ステップＳ５１３は、図２のステップＳ１０１〜ステップＳ１０９及びステップＳ１１１〜ステップＳ１１４と同一の動作のため、ここでの説明は省略する。
【０２１３】
図６のステップＳ５０９にて、マニュアルモードが設定されていないと判別されたときは、ステップＳ５１４へ移行する。つまり、この場合モードダイヤル６０はクリエイティブゾーンではなく、イメージゾーンに設定されていることを示している
次に、ステップＳ５１４ではモードダイヤル６０がイメージゾーン内のスポーツモードに設定されているか否かを判別する。スポーツモードに設定されていると判別されたときには、ステップＳ５１６へ移行して、ステップＳ５０３において測定した測光値に合わせて、予め設定されているスポーツ撮影に適した不図示のプログラム線図からそれぞれのＡｖ値及びＴｖ値が決定された後、ステップＳ５２０へ移行して電子シャッタフラグが設定される。
【０２１４】
一方、ステップＳ５１４にてスポーツモードが設定されていないと判別されたときには（つまり、イメージゾーン内のスポーツモード以外のモードが設定されている場合）、ステップＳ５１５へ移行して、ステップＳ５０３において測定した測光値に合わせて、予め設定されている各撮影モードに適した不図示のプログラム線図からそれぞれのＡｖ値及びＴｖ値が決定された後、ステップＳ５１７へ移行する。
【０２１５】
ステップＳ５１７では、操作部７０が操作されノイズリダクションモード設定スイッチがＯＮされたか否かを判別する。そして、ＯＮされたと判別された時にはステップＳ５１８へ移行して、メカシャッタフラグが設定さる。
【０２１６】
一方、ステップＳ５１７にてノイズリダクションモード設定スイッチがＯＦＦと判別された時には、ステップＳ５１９へ移行する。
【０２１７】
ステップＳ５１９では、連写Ｈｉ／Ｌｏ設定スイッチ６８がＨｉ駆動連写またはＬｏ駆動連写のどちらに設定されているかの判別を行う。Ｈｉ駆動連写に設定されているときは、ステップＳ５２０へ移行して電子シャッタフラグを設定後、ステップＳ５２１へ移行する。
【０２１８】
なお、ステップＳ５１９の判別において、連写・単写切り替えボタンが連写撮影モードに選択されていると判別された場合においても、ステップＳ５２０へ移行して電子シャッタフラグを設定後、ステップＳ５２１へ移行するようにしても良い。
【０２１９】
一方、ステップＳ５１９でＬｏ連写駆動と判別されたときには、ステップＳ５１８へ移行して、メカシャッタフラグを設定後、ステップＳ５２１へ移行する。
【０２２０】
なお、ステップＳ５１９の判別において、連写・単写切り替えボタンが単写撮影モードに選択されていると判別された場合においても、ステップＳ５１８へ移行して、メカシャッタフラグを設定後、ステップＳ５２１へ移行するようにしても良い。
【０２２１】
次に、ステップＳ５２１にてＳＷ２  ６４がＯＮされているか否かが判別される。ＯＮされていると判別されたときには、ステップＳ５２２へ移行し、ＯＦＦされていると判別されたときには、ステップＳ５０２へ移行して以上説明した動作を繰り返すことになる。
【０２２２】
ステップＳ５２２においては、図３の撮影シーケンス動作を行う。尚、すでに説明しているので、ここでの説明は省略する。さらに、ステップＳ５２３以降の動作も、すでに説明した図２のステップＳ１２１〜Ｓ１２４と同一の動作であるので、説明は省略する。
【０２２３】
以上説明したように、ノイズ除去モードが選択されたときにはメカニカルシャッタ制御にて撮像時間の制御を行うので、電子シャッタ制御にて撮像時間の制御を行った場合に発生するスミアなどのノイズ成分を除去することができる。
【０２２４】
また、動きのある被写体を撮影する時に適したスポーツモードが選択されたときには、電子シャッタ制御にて撮像時間の制御を行うことで、撮影画面すべてを同一時間で撮影できるので、撮影画面の上部から下部までブレのない撮影が可能となる。
【０２２５】
また、コマ速が遅いモードが選択されたときは不用電荷を履き捨てるための時間を確保することが可能となるので、メカニカルシャッタ制御にて撮像時間の制御を行うことで、スミアなどのノイズ成分を除去することができる。また、コマ速が早いモードが選択されたときは、電子シャッタ制御にて撮像時間の制御を行うので、不用電荷を履き捨てるための時間が必要でないため、コマ速の高速化が可能となる。
【０２２６】
（第３の実施形態）
次に、本発明の第３の実施形態の電子スチルカメラについて説明する。尚、第３の実施形態のカメラのブロック構成は、第１の実施形態と同一（図１と同一）の構成であるので、ここでの説明は省略する。
【０２２７】
図７を用いて第３の実施形態の電子スチルカメラの動作について説明する。
【０２２８】
図７は、第３の実施形態の電子スチルカメラの動作フローチャートである。
【０２２９】
ステップＳ７０１にて電源スイッチ７２がオンされると、電子スチルカメラは撮影のためのスタンバイ状態になる。
【０２３０】
ステップＳ７０２で不図示のレリーズボタンの半押し操作によってスイッチＳＷ１  ６４がオン（ＯＮ）したか否かを判別する。ＯＮされたと判別された場合はステップＳ７０３にて測光回路４６はシステム制御回路５０の命令により測光を開始して、測光センサ１３６の各エリアでの輝度値をシステム制御回路５０へ出力した後、ステップＳ７０４へ移行する。
【０２３１】
ステップＳ７０４では、システム制御回路５０は測光回路４６より出力された測光値の結果が所定値以上であるエリアが存在するか否かを判別する。つまり、スポット光が存在するか否かを判別する。そして、所定値以上のエリアが存在しない場合は、ステップＳ７０８へ移行する。
【０２３２】
一方、ステップＳ７０４にて測光値の結果が所定値以上であるエリアが存在すると判別された場合は、ステップ７０５へ移行してスポット光フラグを設定後、ステップＳ７０８へ移行する。
【０２３３】
また、ステップＳ７０２にてＳＷ１  ６４がＯＮしたと判別されると、すでに説明したステップＳ７０３の測光と同時に、ステップＳ７０６にて、測距回路４６の出力であるフォーカス情報に基づいてシステム制御回路５０はレンズ駆動量を演算決定して、ステップＳ７０７にて測距制御回路３４２を用いて、撮影レンズ３１０の一部のレンズを駆動してピント調整をおこなう。
【０２３４】
次に、モードダイヤルスイッチ６０によって選ばれた撮影露出モードにより、それぞれの撮影露出モードに対応した絞り値（Ａｖ値）や撮像時間（Ｔｖ値）の決定がなされる（ステップＳ７０８〜Ｓ７１７）。
【０２３５】
なお、ステップＳ７０８〜Ｓ７１７は、すでに説明した図２のステップＳ１０６〜Ｓ１１５の動作と同一であるので、ここでの説明は省略する。
【０２３６】
次に、ステップＳ７１８では、不図示のレリーズスイッチの全押し操作によりオンするＳＷ２  ６４がオンしたか否かを判別する。そして、ＯＮしたと判別されたときにはステップＳ７１９へ移行する。一方、ＯＮされていないと判断された時は、ステップＳ７０２へ移行し、すでに説明した動作を繰り返す。
【０２３７】
ステップＳ７１９ではスポット光フラグが設定されているか否かを判別する。スポット光フラグが設定されていると判別されたときには、ステップＳ７２１へ移行してメカシャッタフラグを設定した後、ステップＳ７２２へ移行する。
【０２３８】
一方、ステップＳ７１９にてスポット光フラグが設定されていないと判別されたときには、ステップＳ７２０へ移行して電子シャッタフラグを設定した後、ステップＳ７２２へ移行する。
【０２３９】
ステップＳ７２２では、すでに説明した図３の撮影シーケンスを実行する。なお、ここでの説明は省略する。
【０２４０】
ステップＳ７２２にて、図３の撮影シーケンスが終了すると、ステップＳ７２３へ移行する。なお、ステップＳ７２３以降の動作は、図２のステップＳ１２１〜Ｓ１２４と同一の動作であるので、説明は省略する。
【０２４１】
以上説明したように、撮影画面内にスポット光が存在するときは、メカシャッタにて撮像時間の制御を行うので、スミアなどのノイズ成分を防ぐことができる。
【０２４２】
（第４の実施形態）
次に、第４の実施形態の電子スチルカメラについて説明する。尚、第４の実施形態のカメラのブロック構成は、第１の実施形態と同一（図１と同一）の構成であるので、ここでの説明は省略する。
【０２４３】
図８を用いて第４の実施形態の電子スチルカメラの動作について説明する。
【０２４４】
図８は、第４の実施形態の電子スチルカメラの動作フローチャートである。
【０２４５】
ステップＳ８０１にて電源スイッチ７２がオンされると、電子スチルカメラは撮影のためのスタンバイ状態になる。
【０２４６】
ステップＳ８０２にて操作部７０のシャッタモード選択スイッチが電子シャッタ制御モードまたはメカニカルシャッタ制御モードのどちらが選択されているかの判別を行う。そして、電子シャッタ制御モードが選択されているときは、ステップＳ８０３へ移行して、電子シャッタフラグを設定後、ステップＳ８０５へ移行する。
【０２４７】
一方、ステップＳ８０２にてメカニカルシャッタ制御モードが選択されている場合は、ステップＳ８０４へ移行して、メカニカルシャッタフラグを設定後、ステップＳ８０５へ移行する。
【０２４８】
ステップＳ８０５で不図示のレリーズボタンの半押し操作によってスイッチＳＷ１  ６４がオン（ＯＮ）したか否かを判別する。ＯＮされたと判別された場合はステップＳ８０６にて測光回路４６はシステム制御回路５０の命令により測光を開始して、測光センサ１３６の各エリアでの輝度値をシステム制御回路５０へ出力した後、ステップＳ８０９へ移行する。
【０２４９】
また、ステップＳ８０５にてＳＷ１  ６４がＯＮしたと判別されると、すでに説明したステップＳ８０６の測光と同時に、ステップＳ８０７にて、測距回路４６の出力であるフォーカス情報に基づいてシステム制御回路はレンズ駆動量を演算決定し、ステップＳ８０８にて、測距制御回路３４２を用いて撮影レンズ３１０の一部のレンズを駆動してピント調整をおこなう。
【０２５０】
一方、ステップＳ８０５にてＳＷ１  ６４がＯＮされていない場合は、ステップＳ８０２へ移行して、すでに説明した動作を繰り返す。
【０２５１】
なお、ステップＳ８０９〜Ｓ８１８は、すでに説明した図２のステップＳ１０６〜Ｓ１１５の動作と同一であるので、ここでの説明は省略する。
【０２５２】
次に、ステップＳ８１９では、不図示のレリーズスイッチの全押し操作によりオンするＳＷ２  ６４がオンしたか否かを判別する。そして、ＯＮしたと判別されたときにはステップＳ８２０へ移行する。一方、ＯＮされていないと判別された時は、ステップＳ８０２へ移行し、すでに説明した動作を繰り返す。
【０２５３】
ステップＳ８２０において、システム制御回路５０はインターフェース１２０，３２０を経由してレンズ制御回路３５０と通信を行い、防振スイッチ３４５がオンされているか否かの判別を行う。そして、オンされていると判別されたときには、ステップＳ８２１へ移行し、オンされていないと判別されたときには、ステップＳ８２３へ移行する。
【０２５４】
ステップＳ８２１では、電子シャッタフラグが設定されているか否かの判別を行う。ＯＮされていると判別されたときには、ステップＳ８２２に移行して、システム制御回路５０はレンズ制御回路３５０と通信して、防振スイッチ３４５をＯＦＦした後、ステップＳ８２３にて撮影を行う。
【０２５５】
一方、ステップＳ８２１にて電子シャッタフラグが設定されていないと判別されたときには、ステップＳ８２３へ移行して撮影を行う。
【０２５６】
ステップＳ８２３にて、すでに説明した図３の撮影シーケンスを実行する。なお、ここでの説明は省略する。
【０２５７】
図３の撮影シーケンスが終了すると、ステップＳ８２４へ移行してその後の動作を行う。なお、ステップＳ８２４〜Ｓ８２７は、すでに説明した図２のステップＳ１２１〜Ｓ１２４と同一であるのでここでの説明は省略する。
【０２５８】
以上説明したように、電子シャッタ制御にて撮像時間の制御を行う場合は、ブレ補正手段の駆動を無効にしたので、シャッタの走行に合わせてブレ補正手段を駆動させることによるカメラブレの発生を防止することができる。
【０２５９】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０２６０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０２６１】
本発明を上記記憶媒体に適用する場合、その記憶媒体には、先に説明したフローチャートに対応するプログラムコードが格納されることになる。
【０２６２】
以上説明したように、上記の実施形態の電子カメラによれば、装着されたレンズの種類や状態によって、電子シャッタ制御・メカニカルシャッタ制御の切り替えを行うことができる。
【０２６３】
また、電子シャッタ制御にて撮像時間を制御した場合に問題となる、完全にカメラブレが収まった後に防振機能が働くことによるブレ画像の撮影を防止することができる。
【０２６４】
また、マクロ撮影の場合には、電子シャッタにて撮像時間の制御を行うので、カメラブレの発生が少ない撮影を行うことができる。
【０２６５】
また、絞り値が開放側のときは電子シャッタにて撮像時間の制御を行うので、メカニカルシャッタ制御のシャッタ効率によって発生する、開放時の実シャッタ秒時が遅くなるという問題を回避することができる。
【０２６６】
また、装着されたストロボ装置の種類や状態によって、電子シャッタ制御・メカニカルシャッタ制御の切り替えを行うことができる。
【０２６７】
また、フラット発光制御が可能なストロボ装置が装着されたときには、電子シャッタ制御でなければ対応不可能であった高速秒時においても、メカニカルシャッタ制御での同調が可能となる。従って、フラット発光制御が可能なときは、メカニカルシャッタ制御にて撮像時間の制御を行うので、電子シャッタ制御にて撮像時間の制御を行った場合に発生する、スミアなどのノイズ成分を除去することができる。
【０２６８】
また、プリ発光にて撮影画面内にスポット光状の反射物が存在する場合はメカニカルシャッタ制御にて撮像時間の制御を行うので、電子シャッタ制御にて撮像時間の制御を行う場合に発生する、スミアなどのノイズ成分を除去することができる。
【０２６９】
また、撮影モードによって適した電子シャッタ制御・メカニカルシャッタ制御の切り替えを行うことができる。
【０２７０】
また、ノイズ除去モードが選択されたときにはメカニカルシャッタ制御にて撮像時間の制御を行うので、電子シャッタ制御にて撮像時間の制御を行った場合に発生するスミアなどのノイズ成分を除去することができる。
【０２７１】
また、動きのある被写体を撮影する時に適したスポーツモードが選択されたときには、電子シャッタ制御にて撮像時間の制御を行なうことで、撮影画面すべてを同一時間で撮影できるので、撮影画面の上部から下部までブレのない撮影が可能となる。
【０２７２】
また、コマ速が遅いモードが選択されたときは不用電荷を履き捨てるための時間を確保することが可能となるので、メカニカルシャッタ制御にて撮像時間の制御を行うことで、スミアなどのノイズ成分を除去することができる。また、コマ速が早いモードが選択されたときは、電子シャッタ制御にて撮像時間の制御を行うので、不用電荷を履き捨てるための時間が必要でないため、コマ速の高速化が可能となる。
【０２７３】
また、撮影画面内にスポット光などが存在した場合は、メカニカルシャッタ制御にて撮像時間の制御を行うので、スミアなどの画質劣化現象の低減が可能となる。
【０２７４】
また、電子シャッタ制御にて撮像時間の制御を行う場合は、ブレ補正手段の駆動を無効にしたので、シャッタの走行に合わせてブレ補正手段を駆動させることによるカメラブレの発生を防止することができる。
【図１】
0005518218.tif 000002
【図２Ａ】
0005518218.tif 000003
【図２Ｂ】
0005518218.tif 000004
【図３】
0005518218.tif 000005
【図４】
0005518218.tif 000006
【図５】
0005518218.tif 000007
【図６】
0005518218.tif 000008
【図７】
0005518218.tif 000009
【図８】
0005518218.tif 000010
【図９】
0005518218.tif 000011
【図１０】
0005518218.tif 000012